(57)【要約】【課題】サイドフラップが着用者の汗を速やかに吸収し、フラップに吸収された汗が蒸発し易く、着用中の不快感がない使い捨て着用物品を提供する。【解決手段】使い捨て着用物品１Ａでは、サイドフラップ７が熱融着性かつ疎水性の第１繊維不織布１２と熱融着性かつ親水性の第２繊維不織布１３とを重ね合わせた複合シート１４から形成され、第１および第２繊維不織布１２，１３が肌当接側から肌非当接側に向かって凹む多数の熱融着部１６を介して固着されている。熱融着部１６では、第１および第２繊維不織布１２，１３の繊維形態が維持され、複合シート１４の繊維密度が熱融着部１６を除く複合シート１４の残余の部位１７のそれよりも高い。【選択図】      図１
2004298467.tif 000002
【特許請求の範囲】
【請求項１】
縦方向に前胴周り域および後胴周り域と、それら胴周り域の間に位置する股下域とを備え、前記前後胴周り域間に延びる液吸収ゾーンと、前記吸収ゾーンの縦方向外方に位置して横方向へ延びるエンドフラップと、前記吸収ゾーンの横方向外方に位置して縦方向へ延びるサイドフラップとを有する使い捨て着用物品において、
前記エンドフラップと前記サイドフラップとのうちの少なくとも一方が、肌当接側に位置する熱融着性かつ疎水性の第１繊維不織布と肌非当接側に位置する熱融着性かつ親水性の第２繊維不織布とを重ね合わせた複合シートから形成され、前記第１および第２繊維不織布が、前記肌当接側から前記肌非当接側に向かう第１厚み方向と前記肌非当接側から前記肌当接側に向かう第２厚み方向とのうちの少なくとも前記第１厚み方向へ凹む多数の熱融着部を介して固着され、
前記熱融着部の少なくとも一部では、前記第１繊維不織布と前記第２繊維不織布との繊維形態が維持され、前記複合シートの繊維密度が前記熱融着部を除く該複合シートの残余の部位のそれよりも高いことを特徴とする前記着用物品。
【請求項２】
前記熱融着部が、前記フラップに略均一に散在かつ分布し、前記フラップの単位面積当たりにおける前記熱融着部の割合が、２〜４０％の範囲、前記熱融着部における前記複合シートの繊維密度が、０．４〜０．８ｇ／ｃｍ３の範囲ある請求項１記載の着用物品。
【請求項３】
縦方向に前胴周り域および後胴周り域と、それら胴周り域の間に位置する股下域とを備え、前記前後胴周り域間に延びる液吸収ゾーンと、前記吸収ゾーンの縦方向外方に位置して横方向へ延びるエンドフラップと、前記吸収ゾーンの横方向外方に位置して縦方向へ延びるサイドフラップとを有する使い捨て着用物品において、
前記エンドフラップと前記サイドフラップとのうちの少なくとも一方が、肌当接側に位置する疎水性の第１繊維不織布と肌非当接側に位置する親水性の第２繊維不織布とを固着した複合シートから形成され、前記第１繊維不織布が、その厚み方向へ貫通する多数の第１開孔部を有し、前記第２繊維不織布が、前記第１開孔部から肌当接側に露出していることを特徴とする前記着用物品。
【請求項４】
前記第１開孔部が、前記フラップに略均一に散在かつ分布し、前記フラップの単位面積当たりにおける前記第１開孔部の割合が、２〜４０％の範囲にある請求項３記載の着用物品。
【請求項５】
前記第２繊維不織布の外側には、疎水性の第３繊維不織布が固着され、前記第３繊維不織布が、その厚み方向へ貫通する多数の第２開孔部を有し、前記第２繊維不織布が、前記第２開孔部から肌非当接側に露出している請求項１ないし請求項４いずれかに記載の着用物品。
【請求項６】
前記第２開孔部が、前記フラップに略均一に散在かつ分布し、前記フラップの単位面積当たりにおける前記第２開孔部の割合が、２〜４０％の範囲にある請求項５記載の着用物品。
【請求項７】
前記第１繊維不織布の坪量が、３０ｇ／ｍ２以下であり、前記第１繊維不織布の繊度が、４ｄｔｅｘ以下である請求項１ないし請求項６いずれかに記載の着用物品。
【請求項８】
前記複合シートから形成された前記フラップの湿潤時のｑｍａｘの値が、０．２５以下である請求項１ないし請求項７いずれかに記載の着用物品。
【発明の詳細な説明】
【０００１】
【発明の属する技術分野】
本発明は、排泄物を吸収、保持する使い捨て着用物品に関する。
【０００２】
【従来の技術】
肌当接側に位置する透液性表面シートと、肌被当接側に位置する不透液性裏面シートと、表裏面シートの間に介在する吸液性コアとから構成され、コアの両端縁の縦方向外方に位置して横方向へ延びる一対のエンドフラップと、コアの両側縁の横方向外方に位置して縦方向へ延びる一対のサイドフラップとを有し、エンドフラップの内面に通気性の吸汗シートが取り付けられた使い捨て着用物品がある（特許文献１参照）。
【０００３】
特許文献１に開示の物品は、エンドフラップがコアの両端縁から縦方向外方へ延びる表裏面シートから形成され、サイドフラップがコアの両側縁から横方向外方へ延びる表裏面シートから形成されている。吸汗シートは、肌当接側に位置する上層と、肌非当接側に位置する下層とから形成されている。上層には、少なくとも２０％の親水性繊維を含む繊維不織布が使用され、下層には、疎水性繊維不織布が使用されている。特許文献１には、物品の着用中に着用者が発汗したとしても、エンドフラップに取り付けられた吸汗シートが汗を吸収するので、物品内部の蒸れを防ぐことができ、汗によるかぶれや発疹を未然に防ぐことができるという効果が記載されている。
【０００４】
【特許文献１】
特開２０００−１８９４５４号公報
【０００５】
【発明が解決しようとする課題】
特許文献１に開示の着用物品は、吸汗シートがエンドフラップの内面に取り付けられているので、物品の着用中に吸汗シートが汗を吸収したとしても、汗が蒸発するときに生ずる水蒸気をエンドフラップから物品の外側に逃がすことができない。この物品は、汗が蒸発し難く、汗を吸収した吸汗シートが湿潤したままとなり、吸汗シートが肌にべとついて不快感がある。また、この物品は、吸汗シートがサイドフラップに取り付けられておらず、着用者の股間部に接するサイドフラップに汗を吸収させることができない。
【０００６】
本発明の目的は、エンドフラップやサイドフラップが着用者の汗を速やかに吸収し、フラップに吸収された汗が蒸発し易く、着用中の不快感がない使い捨て着用物品を提供することにある。
【０００７】
【課題を解決するための手段】
前記課題を解決するための本発明の前提は、縦方向に前胴周り域および後胴周り域と、それら胴周り域の間に位置する股下域とを備え、前記前後胴周り域間に延びる液吸収ゾーンと、前記吸収ゾーンの縦方向外方に位置して横方向へ延びるエンドフラップと、前記吸収ゾーンの横方向外方に位置して縦方向へ延びるサイドフラップとを有する使い捨て着用物品である。
【０００８】
前記前提における本発明の第１の特徴は、前記エンドフラップと前記サイドフラップとのうちの少なくとも一方が、肌当接側に位置する熱融着性かつ疎水性の第１繊維不織布と肌非当接側に位置する熱融着性かつ親水性の第２繊維不織布とを重ね合わせた複合シートから形成され、前記第１および第２繊維不織布が、前記肌当接側から前記肌非当接側に向かう第１厚み方向と前記肌非当接側から前記肌当接側に向かう第２厚み方向とのうちの少なくとも前記第１厚み方向へ凹む多数の熱融着部を介して固着され、前記熱融着部の少なくとも一部では、前記第１繊維不織布と前記第２繊維不織布との繊維形態が維持され、前記複合シートの繊維密度が前記熱融着部を除く該複合シートの残余の部位のそれよりも高いことにある。
【０００９】
ここで、熱融着性の繊維不織布とは、接着剤を使用せずに熱によって自己融着可能な熱融着性繊維で形成された繊維不織布、または、熱によって自己融着可能な熱融着性繊維を含む繊維不織布をいう。
【００１０】
前記第１の特徴を有する本発明の実施態様の一例としては、前記熱融着部が前記フラップに略均一に散在かつ分布し、前記フラップの単位面積当たりにおける前記熱融着部の割合が２〜４０％の範囲、前記熱融着部における前記複合シートの繊維密度が０．４〜０．８ｇ／ｃｍ３の範囲ある。
【００１１】
前記前提における本発明の第２の特徴は、前記エンドフラップと前記サイドフラップとのうちの少なくとも一方が、肌当接側に位置する疎水性の第１繊維不織布と肌非当接側に位置する親水性の第２繊維不織布とを固着した複合シートから形成され、前記第１繊維不織布が、その厚み方向へ貫通する多数の第１開孔部を有し、前記第２繊維不織布が、前記第１開孔部から肌当接側に露出していることにある。
【００１２】
前記第２の特徴を有する本発明の実施態様の一例としては、前記第１開孔部が前記フラップに略均一に散在かつ分布し、前記フラップの単位面積当たりにおける前記第１開孔部の割合が２〜４０％の範囲にある。
【００１３】
前記第１および第２の特徴を有する本発明は、以下の実施態様を有する。
（１）前記第２繊維不織布の外側には、疎水性の第３繊維不織布が固着され、前記第３繊維不織布がその厚み方向へ貫通する多数の第２開孔部を有し、前記第２繊維不織布が前記第２開孔部から肌非当接側に露出している。
（２）前記第２開孔部が前記フラップに略均一に散在かつ分布し、前記フラップの単位面積当たりにおける前記第２開孔部の割合が２〜４０％の範囲にある。
（３）前記第１繊維不織布の坪量が、３０ｇ／ｍ２以下であり、前記第１繊維不織布の繊度が、４ｄｔｅｘ以下である。
（４）前記複合シートから形成された前記フラップの湿潤時のｑｍａｘの値が、０．２５以下である。
【００１４】
【発明の実施の形態】
添付の図面を参照し、本発明に係る使い捨て着用物品の詳細を説明すると、以下のとおりである。
【００１５】
図１，２は、一例として示す着用物品１Ａの部分破断斜視図と、図１のＩＩ−ＩＩ線端面図とであり、図３は、図１のＩＩＩ−ＩＩＩ線端面図である。図１では、横方向を矢印Ｌ、縦方向を矢印Ｍで示し、厚み方向を矢印Ｎで示す。なお、表裏面シート８，９や複合シート１４、防漏シート１８の内面とは、コア１０に対向する面をいい、それらシート８，９，１４，１８の外面とは、コア１０に非対向の面をいう。
【００１６】
物品１Ａは、縦方向に前胴周り域２および後胴周り域４と、それら胴周り域２，４の間に位置する股下域３とを備え、尿や大便に含まれる水分を吸収、保持する液吸収ゾーン５と、吸収ゾーン５の縦方向外方に位置して横方向へ延びる一対のエンドフラップ６と、吸収ゾーン５の横方向外方に位置して縦方向へ延びる一対のサイドフラップ７とを有する。股下域３では、サイドフラップ７が物品１Ａの横方向内方へ向かって弧を画いている。物品１Ａは、その平面形状が実質的に砂時計型を呈する。物品１Ａには、縦方向へ延びる一対の防漏シート１８が取り付けられている。
【００１７】
液吸収ゾーン５は、前後胴周り域２，４と股下域３との横方向中央に位置し、前後胴周り域２，４間を縦方向へ延びている。吸収ゾーン５は、肌当接側に位置する透液性表面シート８と、肌非当接側に位置する不透液性裏面シート９と、表裏面シート８，９の間に介在してそれらシート８，９のうちの少なくとも一方の内面に固着された吸液性コア１０とから形成されている。
【００１８】
エンドフラップ６は、コア１０の両端縁１０ａから縦方向外方へ延びる表裏面シート８，９から形成されている。エンドフラップ６では、表裏面シート８，９が重なり合い、それらシート８，９の内面どうしが固着されている。後胴周り域４のエンドフラップ６には、横方向へ延びる複数条の胴周り用弾性部材１１が収縮可能に取り付けられている。胴周り用弾性部材１１は、表裏面シート８，９の間に介在し、それらシート８，９の内面に固着されている。
【００１９】
サイドフラップ７の大部分は、熱融着性かつ疎水性の第１繊維不織布１２と熱融着性かつ親水性の第２繊維不織布１３とを重ね合わせた複合シート１４から形成されている。複合シート１４では、第１繊維不織布１２が肌当接側に位置し、第２繊維不織布１３が肌非当接側に位置している。サイドフラップ７では、コア１０の両側縁１０ｂから横方向外方へ表裏面シート８，９がわずかに延び、互いに重なり合うそれらシート８，９の内面どうしが固着されているとともに、第２繊維不織布１３の一部が裏面シート９の外面に固着されている。サイドフラップ７には、縦方向へ延びる複数条の脚周り用弾性部材１５が収縮可能に取り付けられている。脚周り用弾性部材１５は、表裏面シート８，９の間に介在し、それらシート８，９の内面に固着されている。
【００２０】
第１および第２繊維不織布１２，１３は、肌当接側から肌非当接側に向かってそれら不織布１２，１３の厚み方向（第１厚み方向）へ凹む多数の熱融着部１６を介して固着されている。
【００２１】
第１および第２繊維不織布１２，１３を固着する一例としては、超音波接合の技術を利用することができる。超音波接合では、重ね合わせたそれら不織布１２，１３のうち、第１繊維不織布１２をエンボス形状を彫刻したアンビルロールに対向させ、第２繊維不織布１３をホーンに対向させる。超音波接合では、第１および第２繊維不織布１２，１３がホーンとアンビルとで加圧され、それら不織布１２，１３にホーンから超音波が加えられることにより、それら不織布１２，１３を構成する繊維どうしが熱融着する。第１および第２繊維不織布１２，１３から形成された複合シート１４には、それら不織布１２，１３の厚み方向（第１厚み方向）へ凹む多数の熱融着部１６が形成される。
【００２２】
第１および第２繊維不織布１２，１３を固着する他の一例としては、熱プレス接合の技術を利用することができる。熱プレス接合では、周面に多数の突起を有するエンボスロールと、周面が平坦なフラットロールとを使用し、重ね合わせた第１および第２繊維不織布１２，１３を互いに対向配置したそれらロールの間に進入させる。このとき、第１繊維不織布１２をエンボスロールに対向させ、第２繊維不織布１３をフラットロールに対向させる。それらロールのうちの少なくともエンボスロールは、所定の温度に加熱されている。それらロールの間に進入した第１および第２繊維不織布１２，１３は、突起とフラットロールの周面とで加圧され、突起から熱が加えられることにより、それら不織布１２．１３を構成する繊維どうしが熱融着する。第１および第２繊維不織布１２，１３から形成された複合シート１４には、それら不織布１２，１３の厚み方向（第１厚み方向）へ凹む多数の熱融着部１６が形成される。
【００２３】
熱融着部１６では、第１および第２繊維不織布１２，１３がフィルム化することなく、それら不織布１２，１３の繊維形態が維持されている。超音波接合であれば、ホーンから加えられる超音波エネルギーを調節したり、ホーンとアンビルとの圧力を調節することにより、熱融着部１６でのそれら不織布１２，１３の繊維形態を維持することができる。熱プレスであれば、突起から加えられる温度を調節したり、突起とフラットロールとの圧力を調節することにより、熱融着部１６でのそれら不織布１２，１３の繊維形態を維持することができる。
【００２４】
熱融着部１６では、複合シート１４の繊維密度が熱融着部１６を除く複合シート１４の残余の部位１７のそれよりも高い。熱融着部１６を除く残余の部位１７では、第１および第２繊維不織布１２，１３が重なり合っているものの、それら不織布１２，１３どうしは固着されていない。熱融着部１６は、略小円形を呈し、サイドフラップ７に略均一に散在かつ分布している。熱融着部１６は、その直径が１〜３ｍｍの範囲にあることが好ましく、熱融着部１６どうしの離間寸法が０．５〜４ｍｍの範囲にあることが好ましい。
【００２５】
防漏シート１８は、サイドフラップ７に位置して縦方向へ延びる固定側部１８ａと、表面シート８の上方へ起立性向を有して縦方向へ延びる可動部１８ｂと、前後胴周り域２，４に位置して物品１Ａの横方向内方へ倒伏した固定両端部１８ｃとを有する。固定側部１８ａと固定両端部１８ｃとは、表面シート８と第１繊維不織布１２の一部とに挟まれた状態で、それらに固着されている。可動部１８ｂの上方には、縦方向へ延びる伸縮性弾性部材１９が収縮可能に取り付けられている。弾性部材１９は、可動部１８ｂの一部に覆われた状態で、可動部１８ｂに固着されている。防漏シート１８では、物品１Ａが表面シート８を内側にして縦方向へ湾曲すると、弾性部材１９が収縮して可動部１８ｂが表面シート８の上方へ起立し、可動部１８ｂが排泄物に対する障壁を形成する。
【００２６】
後胴周り域４には、サイドフラップ７から横方向外方へテープファスナ２０が延びている。テープファスナ２０は、複合シート１４から形成されている。テープファスナ２０を形成する複合シート１４の内面には、メカニカルファスナのうちのフック部材２１が固着されている。前胴周り域２には、テープファスナ２０を着脱可能に止着する可撓性のターゲットテープ２２が取り付けられている。ターゲットテープ２２は、メカニカルファスナのうちのループ部材（図示せず）を有するプラスチックフィルムから形成されている。ターゲットテープ２２は、裏面シート９と複合シート１４との外面に固着されている。
【００２７】
物品１Ａを着用するには、後胴周り域４のサイドフラップ７を前胴周り域２のサイドフラップ７の外側に重ね合わせ、フック部材２１をループ部材に係合させて前胴周り域２と後胴周り域４とを連結する。前後胴周り域２，４が連結された物品１Ａには、胴周り開口とその下方に一対の脚周り開口とが形成される（図示せず）。
【００２８】
物品１Ａは、サイドフラップ７が多数の熱融着部１６を有する複合シート１４から形成され、熱融着部１６における複合シート１４の繊維密度が熱融着部１６を除く残余の部位１７のそれよりも高く、熱融着部１６において毛細管現象が強く作用するので、複合シート１４を形成する第１繊維不織布１２が疎水性であっても、水分が熱融着部１６を介して第１繊維不織布１２から親水性の第２繊維不織布１３に移行する。
【００２９】
物品１Ａは、それを着用したときに、着用者の汗が熱融着部１６における毛細管現象によって第１繊維不織布１２から第２繊維不織布１３に円滑に移行し、親水性の第２繊維不織布１３に汗を速やかに吸収させることができる。物品１Ａは、それを着用したときに、肌非当接側に位置する第２繊維不織布１３が物品１Ａの外側に露出するので、サイドフラップ７が汗を吸収したとしても、汗が蒸発するときに生じる水蒸気を第２繊維不織布１３から物品１Ａの外側に逃がすことができる。物品１Ａでは、汗を吸収した第２繊維不織布１３が乾燥し易く、汗がサイドフラップ７から容易に蒸発するので、サイドフラップ７が肌にべとつくことはなく、着用した物品１Ａに対する不快感がない。
【００３０】
物品１Ａは、サイドフラップ７の単位面積当たりにおける熱融着部１６の割合が２〜４０％の範囲、好ましくは、５〜２０％の範囲にあり、熱融着部１６における複合シート１４の繊維密度が０．４〜０．８ｇ／ｃｍ３の範囲ある。熱融着部１６の割合が２％未満では、汗を第１繊維不織布１２から第２繊維不織布１３に円滑に移行させることができず、汗が複合シート１４の内面に残存し、サイドフラップ７が湿潤して肌にべとつく場合がある。熱融着部１６では、複合シート１４の剛性が増加するので、熱融着部１６の割合が４０％を超過すると、サイドフラップ７の柔軟性が低下し、サイドフラップ７が肌に接したときに不快感がある。
【００３１】
熱融着部１６における複合シート１４の繊維密度が０．４ｇ／ｃｍ３未満では、熱融着部１６において毛細管現象が作用し難くなり、熱融着部１６を介して汗を第１繊維不織布１２から第２繊維不織布１３に円滑に移行させることができない。熱融着部１６における複合シート１４の繊維密度が０．８ｇ／ｃｍ３を超過すると、複合シート１４の剛性が増加してサイドフラップ７の柔軟性が低下し、サイドフラップ７が肌に接したときに不快感がある。
【００３２】
物品１Ａは、第１繊維不織布１２の坪量が３０ｇ／ｍ２以下であり、第１繊維不織布１２の繊度が４ｄｔｅｘ以下である。第１繊維不織布１２の坪量が３０ｇ／ｍ２を超過すると、不織布１２の厚みが増加するので、第１および第２繊維不織布１２，１３を熱融着部１６で固着するときに、それら不織布１２，１３に高い圧力をかけなければならず、熱融着部１６において第１および第２繊維不織布１２，１３がフィルム化してしまう場合がある。第１繊維不織布１２の繊度が４ｄｔｅｘを超過すると、第１繊維不織布１２において毛細管現象が作用し難くなり、熱融着部１６を介して汗を第１繊維不織布１２から第２繊維不織布１３に円滑に移行させることができない。また、第１繊維不織布１２の剛性が増加してサイドフラップ７の柔軟性が低下し、サイドフラップ７が肌に接したときに不快感がある。
【００３３】
物品１Ａは、複合シート１４から形成されたサイドフラップ７の湿潤時のｑｍａｘの値が０．２５以下である。なお、フラップ７の乾燥時のｑｍａｘの値は、湿潤時のｑｍａｘのそれよりも低く、０．１５以下である。ここで、ｑｍａｘとは、以下のように定義されている。物に触れたときに冷たいと感じる皮膚感覚を接触冷温感と呼び、人の皮膚から物への熱の移動量の差によって変化する指標を最大熱吸収速度（ｑｍａｘ）で表し、ｑｍａｘの値が大きいほど冷たいと評価し、ｑｍａｘの値が小さいほど暖かいと評価する。水の熱伝導率は、空気の約２５倍であり、水分を含んだフラップ７が皮膚に接触すると、フラップ７の乾燥時に比較して熱伝導率が約２５倍となり、皮膚からの熱の移動が増加して冷たさによる不快感がある。
【００３４】
サイドフラップ７の湿潤時におけるｑｍａｘの値が０．２５を超過すると、肌に接したサイドフラップ７が着用者に冷たい感触を与え、物品１Ａの着用時に不快感がある。なお、ｑｍａｘは、以下の方法で測定した。
（１）物品１Ａのサイドフラップ７から複合シート１４を切り取り、１０ｃｍ×１０ｃｍのｑｍａｘ測定用サンプルを作成する。
（２）ｑｍａｘの測定は、カトーテック社製の精密迅速熱物性測定装置（ＫＥＳ−Ｆ−Ｍ７  ＴＨＥＲＭＯ  ＬＡＢＯ  ＩＩ  ＴＹＰＥ）を使用し、温度２０℃、湿度６０％の恒温恒湿室で行った。測定装置は、貯熱板を有するＴ−ＢＯＸと、給水ポンプを有するＷＡＴＥＲ−ＢＯＸとから形成されている。
（３）フラップ７の乾燥時におけるｑｍａｘの測定は、以下のとおりである。サンプルをＷＡＴＥＲ−ＢＯＸの上に乗せるとともに、Ｔ−ＢＯＸをサンプルの上に乗せ、サンプルをＷＡＴＥＲ−ＢＯＸとＴ−ＢＯＸとで挟み、Ｔ−ＢＯＸに表示されたｑｍａｘの値をフラップ７の乾燥時におけるｑｍａｘとする。このときの測定条件は、Ｔ−ＢＯＸ温度：３５℃、ＷＡＴＥＲ−ＢＯＸ温度：２０℃、サンプル温度：２０℃である。
（４）フラップ７の湿潤時におけるｑｍａｘの測定は、以下のとおりである。乾燥時におけるｑｍａｘを測定した後のサンプルをその温度が２０℃になるまで放置する。次に、２０℃の水道水６ｍｌをサンプル上に散水し、サンプルに水道水を吸収させた後、吸水したサンプルをＷＡＴＥＲ−ＢＯＸの上に乗せるとともに、Ｔ−ＢＯＸをサンプルの上に乗せ、サンプルをＷＡＴＥＲ−ＢＯＸとＴ−ＢＯＸとで挟み、Ｔ−ＢＯＸに表示されたｑｍａｘの値をフラップ７の湿潤時におけるｑｍａｘとする。このときの測定条件は、Ｔ−ＢＯＸ温度：３５℃、ＷＡＴＥＲ−ＢＯＸ温度：２０℃、サンプル温度：２０℃である。
【００３５】
物品１Ａは、サイドフラップ７の湿潤時におけるｑｍａｘの値が０．２５以下なので、フラップ７の乾燥時はもちろん、汗を吸収して湿潤したフラップ７が肌に接したとしても、着用者に冷たい感触を与えることはない。
【００３６】
図４，５は、他の一例として示す着用物品１Ｂの部分破断斜視図と、図４のＶ−Ｖ線端面図とである。図４では、横方向を矢印Ｌ、縦方向を矢印Ｍで示し、厚み方向を矢印Ｎで示す。
【００３７】
物品１Ｂは、前後胴周り域２，４と股下域３とを備え、液吸収ゾーン５と、横方向へ延びる一対のエンドフラップ６と、縦方向へ延びる一対のサイドフラップ７とを有する。サイドフラップ７には、縦方向へ延びる一対の防漏シート１８が取り付けられている。
【００３８】
液吸収ゾーン５は、透液性表面シート８および不透液性裏面シート９と、表裏面シート８，９の間に介在する吸液性コア１０とから形成され、前後胴周り域２，４間に延びている。エンドフラップ６は、コア１０の両端縁１０ａから縦方向外方へ延びる表裏面シート８，９から形成されている。エンドフラップ１０ａには、横方向へ延びる複数条の胴周り用弾性部材１１が収縮可能に取り付けられている。
【００３９】
サイドフラップ７の大部分は、熱融着性かつ疎水性の第１繊維不織布１２と、熱融着性かつ親水性の第２繊維不織布１３と、疎水性の第３繊維不織布２３とを重ね合わせた複合シート２４から形成されている。複合シート２４では、第１繊維不織布１２が肌当接側に位置するとともに、第３繊維不織布２３が肌非当接側に位置し、第２繊維不織布１２が第１および第３繊維不織布１２，２３の間に介在している。サイドフラップ７では、コア１０の両側縁１０ｂから横方向外方へ表裏面シート８，９がわずかに延び、互いに重なり合うそれらシート８，９の内面どうしが固着されているとともに、第２繊維不織布１２の一部が裏面シート９の外面に固着されている。サイドフラップ７には縦方向へ延びる複数条の脚周り用弾性部材１５が収縮可能に取り付けられている。
【００４０】
第１および第２繊維不織布１２，１３は、肌当接側から肌非当接側に向かってそれら不織布１２，１３の厚み方向（第１厚み方向）へ凹むとともに、肌非当接側から肌当接側に向かってそれら不織布１２，１３の厚み方向へ（第２厚み方向）へ凹む多数の熱融着部１６を介して固着されている。第２および第３繊維不織布１２，２３は、それら不織布１２，２３の対向面が接着剤（図示せず）を介して断続的に固着されている。第３繊維不織布２３は、その厚み方向へ貫通する多数の開孔部２５（第２開孔部）を有する。第２繊維不織布１３は、開孔部２５から肌非当接側に露出している。
【００４１】
この物品１Ｂにおいて第１および第２繊維不織布１２，１３を固着するには、熱プレス接合の技術を利用することができる。熱プレス接合では、周面に多数の突起を有する一対のエンボスロールを使用し、重ね合わせたそれら不織布１２，１３を互いに対向配置したそれらロールの間に進入させる。それらロールは、所定の温度に加熱されている。それらロールの間に進入した第１および第２繊維不織布１２，１３は、突起で加圧かつ加熱され、それら不織布１２，１３を構成する繊維どうしが熱融着する。複合シート２４には、不織布１２，１３の厚み方向（第１および第２厚み方向）へ凹む多数の熱融着部１６が形成される。
【００４２】
複合シート２４の熱融着部１６では、第１および第２繊維不織布１２，１３がフィルム化することなく、それら不織布１２，１３の繊維形態が維持されている。なお、突起から加えられる温度を調節したり、突起どうしの圧力を調節することにより、熱融着部１６でのそれら不織布１２，１３の繊維形態を維持することができる。熱融着部１６では、複合シート２４の繊維密度が熱融着部１６を除く複合シート２４の残余の部位１７のそれよりも高い。熱融着部１６を除く残余の部位１７では、それら不織布１２，１３どうしが固着されていない。
【００４３】
熱融着部１６と開孔部２５とは、略小円形を呈し、サイドフラップ７に略均一に散在かつ分布している。熱融着部１６の直径と離間寸法とは、図１のそれらと同一である。開孔部２５は、その直径が１〜３ｍｍの範囲にあることが好ましく、開孔部２５どうしの離間寸法が０．５〜４ｍｍの範囲にあることが好ましい。
【００４４】
防漏シート１８は、縦方向へ延びる固定側部１８ａと、表面シート８の上方へ起立性向を有する可動部１８ｂと、物品１Ｂの横方向内方へ倒伏した固定両端部１８ｃとを有する。固定側部１８ａと固定両端部１８ｃとは、表面シート８と第１繊維不織布１２との一部に挟まれた状態で、それらに固着されている。可動部１８ｂの上方には、縦方向へ延びる伸縮性弾性部材１９が収縮可能に取り付けられている。防漏シート１８では、可動部１８ｂが表面シート８の上方へ起立して排泄物に対する障壁を形成する。
【００４５】
後胴周り域４には、サイドフラップ７から横方向外方へテープファスナ２０が延びている。前胴周り域２には、テープファスナ２０を着脱可能に止着するターゲットテープ２２が取り付けられている。テープファスナ２０とターゲットテープ２２とは、図１のそれらと同一である。
【００４６】
物品１Ｂは、熱融着部１６における複合シート２４の繊維密度が熱融着部１６を除く残余の部位１７のそれよりも高く、熱融着部１６において毛細管現象が強く作用するので、物品１Ｂを着用したときに、着用者の汗が毛細管現象によって第１繊維不織布１２から親水性の第２繊維不織布１３に円滑に移行し、第２繊維不織布１３に汗を速やかに吸収させることができる。物品１Ｂは、第２繊維不織布１２が第３繊維不織布２３の開孔部２５から肌非当接側に露出しているので、第２繊維不織布１３が汗を吸収したとしても、汗が蒸発するときに生じる水蒸気を開孔部２５から物品１Ｂの外側に逃がすことができる。物品１Ｂは、汗を吸収した第２繊維不織布１３が乾燥し易く、汗がサイドフラップ７から容易に蒸発するので、サイドフラップ７が肌にべとつくことはなく、着用した物品１Ｂに対する不快感がない。
【００４７】
物品１Ｂは、第２繊維不織布１２の外側に第３繊維不織布２３が固着されているので、汗を吸収して湿潤した第２繊維不織布１２の手や腕への接触面積を少なくすることができ、湿潤した第２繊維不織布１２が手や腕に接することによる不快感を低減することができる。
【００４８】
サイドフラップ７の単位面積当たりにおける熱融着部１６の割合と熱融着部１６における複合シート２４の繊維密度とは、図１の物品１Ａのそれらと同一である。なお、熱融着部１６の割合や複合シート２４の繊維密度を規定する理由は、図１の物品１Ａのそれと同一である。また、複合シート２４から形成されたサイドフラップ７の湿潤時におけるｑｍａｘの値は、０．２５以下であり、サイドフラップ７の乾燥時におけるｑｍａｘの値は、０．１５以下である。ｑｍａｘの測定方法は、図１の物品１Ａのそれと同一である。
【００４９】
物品１Ｂは、サイドフラップ７の単位面積当たりにおける開孔部２５の割合が２〜４０％の範囲、好ましくは、５〜２０％の範囲にある。開孔部２５の割合が２％未満では、汗が乾燥するときに生じる水蒸気を開孔部２５から物品１Ｂの外側に逃がすことができず、汗を吸収した第２繊維不織布１３が乾燥し難くなる。開孔部２５の割合が４０％を超過すると、第２繊維不織布１３の開孔部２５からの露出面積が増加し、汗を吸収して湿潤した第２繊維不織布１３が手や腕に接触して不快感がある。物品１Ｂは、フラップ７の湿潤時におけるｑｍａｘの値が０．２５以下なので、汗を吸収して湿潤したフラップ７が肌に接したとしても、着用者に冷たい感触を与えることはない。
【００５０】
図６，７は、他の一例として示す着用物品１Ｃの部分破断斜視図と、図６のＶＩＩ−ＶＩＩ線端面図とであり、図８は、図６のＶＩＩＩ−ＶＩＩＩ線端面図である。図６では、横方向を矢印Ｌ、縦方向を矢印Ｍで示し、厚み方向を矢印Ｎで示す。
【００５１】
物品１Ｃは、縦方向に前胴周り域２および後胴周り域４と、それら胴周り域２，４の間に位置する股下域３とを備え、尿や大便に含まれる水分を吸収、保持する液吸収ゾーン５と、吸収ゾーン５の縦方向外方に位置して横方向へ延びる一対のエンドフラップ６と、吸収ゾーン５の横方向外方に位置して縦方向へ延びる一対のサイドフラップ７とを有する。股下域３では、サイドフラップ７が物品１Ｃの横方向内方へ向かって弧を画いている。物品１Ｃは、その平面形状が実質的に砂時計型を呈する。物品１Ｃには、縦方向へ延びる一対の防漏シート１８が取り付けられている。
【００５２】
液吸収ゾーン５は、前後胴周り域２，４と股下域３との横方向中央に位置し、前後胴周り域２，４間を縦方向へ延びている。吸収ゾーン５は、肌当接側に位置する透液性表面シート８と、肌非当接側に位置する不透液性裏面シート９と、表裏面シート８，９の間に介在してそれらシート８，９のうちの少なくとも一方の内面に固着された吸液性コア１０とから形成されている。
【００５３】
エンドフラップ６とサイドフラップ７との大部分は、疎水性の第１繊維不織布２６と、親水性の第２繊維不織布２７とを重ね合わせた複合シート２８から形成されている。複合シート２８では、第１繊維不織布２６が肌当接側に位置し、第２繊維不織布２７が肌非当接側に位置している。第１繊維不織布２６と第２繊維不織布２７とは、それら不織布２６，２７の対向面が接着剤（図示せず）を介して断続的に固着されている。
【００５４】
エンドフラップ６では、コア１０の両端縁１０ａから縦方向外方へ表裏面シート８，９がわずかに延び、互いに重なり合うそれらシート８，９の内面どうしが固着されているとともに、第１繊維不織布２６の一部が裏面シート９とサイドフラップ７を形成する第２繊維不織布２７との外面に固着されている。サイドフラップ７では、コア１０の両側縁１０ｂから横方向外方へ表裏面シート８，９がわずかに延び、互いに重なり合うそれらシート８，９の内面どうしが固着されているとともに、第２繊維不織布２７の一部が裏面シート９の外面に固着されている。
【００５５】
後胴周り域４のエンドフラップ６には、横方向へ延びる複数条の胴周り用弾性部材１１が収縮可能に取り付けられている。サイドフラップ７には、縦方向へ延びる複数条の脚周り用弾性部材１５が収縮可能に取り付けられている。胴周り用弾性部材１１は、第１および第２繊維不織布２６，２７の間に介在し、それら不織布２６，２７の対向面に固着されている。脚周り用弾性部材１５は、表裏面シート８，９の間に介在し、それらシート８，９の内面に固着されている。
【００５６】
第１繊維不織布２６は、その厚み方向へ貫通する多数の開孔部２９（第１開孔部）を有する。第２繊維不織布２７は、開孔部２９から肌当接側に露出している。開孔部２９は、略小円形を呈し、それらフラップ６，７に略均一に散在かつ分布している。開孔部２９は、その直径が１〜３ｍｍの範囲にあることが好ましく、それら開孔部２９の離間寸法が０．５〜４ｍｍの範囲にあることが好ましい。
【００５７】
防漏シート１８は、サイドフラップ７に位置して縦方向へ延びる固定側部１８ａと、表面シート８の上方へ起立性向を有して縦方向へ延びる可動部１８ｂと、前後胴周り域２，４に位置して物品１Ｃの横方向内方へ倒伏した固定両端部１８ｃとを有する。固定側部１８ａと固定両端部１８ｃとは、表面シート８とサイドフラップ７を形成する第１繊維不織布２６の一部とに挟まれた状態で、それらに固着されている。可動部１８ｂの上方には、縦方向へ延びる伸縮性弾性部材１９が収縮可能に取り付けられている。弾性部材１９は、可動部１８ｂの一部に覆われた状態で、可動部１８ｂに固着されている。防漏シート１８では、物品１Ｃが表面シート８を内側にして縦方向へ湾曲すると、弾性部材１９が収縮して可動部１８ｂが表面シート８の上方へ起立し、可動部１８ｂが排泄物に対する障壁を形成する。
【００５８】
後胴周り域４には、サイドフラップ７から横方向外方へテープファスナ２０が延びている。テープファスナ２０は、複合シート２８から形成されている。テープファスナ２０を形成する複合シート２８の内面には、メカニカルファスナのうちのフック部材２１が固着されている。前胴周り域２には、テープファスナ２０を着脱可能に止着する可撓性のターゲットテープ２２が取り付けられている。ターゲットテープ２２は、メカニカルファスナのうちのループ部材（図示せず）を有するプラスチックフィルムから形成されている。ターゲットテープ２２は、裏面シート８と複合シート２８との外面に固着されている。
【００５９】
物品１Ｃは、第１繊維不織布２６に多数の開孔部２９が形成され、開孔部２９から第２繊維不織布２７が肌当接側に露出しているので、着用者の汗が開孔部２９から親水性の第２繊維不織布２７に速やかに吸収される。物品１Ｃは、それを着用したときに、肌非当接側に位置する第２繊維不織布２７が物品１Ｃの外側に露出するので、それらフラップ６，７が汗を吸収したとしても、汗が蒸発するときに生じる水蒸気を第２繊維不織布２７から物品１Ｃの外側に逃がすことができる。物品１Ｃでは、汗を吸収した第２繊維不織布２７が乾燥し易く、汗がそれらフラップ６，７から容易に蒸発するので、それらフラップ６，７が肌にべとつくことはなく、着用した物品１Ｃに対する不快感がない。
【００６０】
物品１Ｃは、それらフラップ６，７の単位面積当たりにおける開孔部２９の割合が２〜４０％の範囲、好ましくは、５〜２０％の範囲にある。開孔部２９の割合が２％未満では、汗を第１繊維不織布２６から第２繊維不織布２７に円滑に移行させることができず、汗が複合シート２８の内面に残存し、フラップ６，７が湿潤して肌にべとつく場合がある。開孔部２９の割合が４０％を超過すると、第２繊維不織布２７の開孔部２９からの露出面積が増加し、汗を吸収して湿潤した第２繊維不織布２７が肌に接して不快感がある。
【００６１】
物品１Ｃは、第１繊維不織布２６の坪量が３０ｇ／ｍ２以下であり、第１繊維不織布２６の繊度が４ｄｔｅｘ以下である。第１繊維不織布２６の坪量が３０ｇ／ｍ２を超過するととともに第１繊維不織布２６の繊度が４ｄｔｅｘを超過すると、第１繊維不織布２６の厚みと剛性とが増加してフラップ６，７の柔軟性が低下し、フラップ６，７が肌に接したときに不快感がある。
【００６２】
物品１Ｃは、複合シート２８から形成されたそれらフラップ６，７の湿潤時におけるｑｍａｘの値が０．２５以下であり、それらフラップ６，７の乾燥時におけるｑｍａｘの値が０．１５以下である。フラップ６，７のｑｍａｘの値が０．２５を超過すると、汗を吸収して湿潤したフラップ６，７が肌に接したときに着用者に冷たい感触を与え、物品１Ｃの着用時に不快感がある。しかし、この物品１Ｃは、フラップ６，７の湿潤時におけるｑｍａｘの値が０．２５以下なので、汗を吸収して湿潤したフラップ６，７が肌に接したとしても、着用者に冷たい感触を与えることはない。なお、ｑｍａｘの測定方法は、図１の物品１Ｃのそれと同一である。
【００６３】
図９，１０は、他の一例として示す着用物品１Ｄの部分破断斜視図と、図９のＸ−Ｘ線端面図とであり、図１１は、図９のＸＩ−ＸＩ線端面図である。図９では、横方向を矢印Ｌ、縦方向を矢印Ｍで示し、厚み方向を矢印Ｎで示す。
【００６４】
物品１Ｄは、前後胴周り域２，４および股下域３を備え、液吸収ゾーン５と、横方向へ延びる一対のエンドフラップ６と、縦方向へ延びる一対のサイドフラップ７とを有する。サイドフラップ７には、縦方向へ延びる一対の防漏シート１８が取り付けられている。液吸収ゾーン５は、透液性表面シート８および不透液性裏面シート９と、表裏面シート８，９の間に介在する吸液性コア１０とから形成されている。
【００６５】
エンドフラップ６とサイドフラップ７とは、その大部分が疎水性の第１繊維不織布２６と、親水性の第２繊維不織布２７と、疎水性の第３繊維不織布３０とを重ね合わせた複合シート３１から形成されている。複合シート３１では、第１繊維不織布２６が肌当接側に位置し、第３繊維不織布３０が肌非当接側に位置するとともに、第２繊維不織布２７が第１および第３繊維不織布２６，３０の間に介在している。第１および第２繊維不織布２６，２７は、それら不織布２６，２７の対向面が接着剤（図示せず）を介して断続的に固着されている。第２および第３繊維不織布２７，３０は、それら不織布２７，３０の対向面が接着剤（図示せず）を介して断続的に固着されている。
【００６６】
エンドフラップ６では、コア１０の両端縁１０ａから縦方向外方へ表裏面シート８，９がわずかに延び、互いに重なり合うそれらシート８，９の内面どうしが固着されているとともに、第１繊維不織布２６の一部が裏面シート９とサイドフラップ７を形成する第２繊維不織布２７との外面に固着されている。サイドフラップ７では、コア１０の両側縁１０ｂから横方向外方へ表裏面シート８，９がわずかに延び、互いに重なり合うそれらシート８，９の内面どうしが固着されているとともに、第２繊維不織布２７の一部が裏面シート９の外面に固着されている。
【００６７】
エンドフラップ６には、横方向へ延びる複数条の胴周り用弾性部材１１が収縮可能に取り付けられている。サイドフラップ７には縦方向へ延びる複数条の脚周り用弾性部材１５が収縮可能に取り付けられている。胴周り用弾性部材１１は、第１および第２繊維不織布２６，２７の間に介在し、それら不織布２６，２７の対向面に固着されている。
【００６８】
第１繊維不織布２６は、その厚み方向へ貫通する多数の開孔部２９（第１開孔部）を有する。第３繊維不織布３０は、その厚み方向へ貫通する多数の開孔部３２（第２開孔部）を有する。第２繊維不織布２７は、開孔部２９から肌当接側に露出するとともに、開孔部３２から肌非当接側に露出している。それら開孔部２９，３２は、略小円形を呈し、それらフラップ６，７に略均一に散在かつ分布している。開孔部２９の直径と離間寸法とは、図６のそれらと同一である。開孔部３２は、その直径が１〜３ｍｍの範囲にあることが好ましく、開孔部３２どうしの離間寸法が０．５〜４ｍｍの範囲にあることが好ましい。
【００６９】
防漏シート１８は、縦方向へ延びる固定側部１８ａと、表面シート８の上方へ起立性向を有する可動部１８ｂと、物品１Ｄの横方向内方へ倒伏した固定両端部１８ｃとを有する。固定側部１８ａと固定両端部１８ｃとは、表面シート８とサイドフラップ７を形成する第１繊維不織布２６との一部に挟まれた状態で、それらに固着されている。可動部１８ｂの上方には、縦方向へ延びる伸縮性弾性部材１９が収縮可能に取り付けられている。防漏シート１８では、可動部１８ｂが表面シート８の上方へ起立して排泄物に対する障壁を形成する。
【００７０】
後胴周り域４には、サイドフラップ７から横方向外方へテープファスナ２０が延びている。前胴周り域２には、テープファスナ２０を着脱可能に止着するターゲットテープ２２が取り付けられている。テープファスナ２０とターゲットテープ２２とは、図６のそれらと同一である。
【００７１】
物品１Ｄは、第１繊維不織布２６に多数の開孔部２９が形成され、開孔部２９から第２繊維不織布２７が肌当接側に露出しているので、着用者の汗が開孔部２９から親水性の第２繊維不織布２７に速やかに吸収される。物品１Ｄは、第３繊維不織布３０に多数の開孔部３２が形成され、開孔部３２から第２繊維不織布２７が肌非当接側に露出しているので、それらフラップ６，７が汗を吸収したとしても、汗が蒸発するときに生じる水蒸気を開孔部３２から物品１Ｄの外側に逃がすことができる。物品１Ｄは、汗を吸収した第２繊維不織布２７が乾燥し易く、汗がそれらフラップ６，７から容易に蒸発するので、フラップ６，７が肌にべとつくことはなく、着用した物品１Ｄに対する不快感がない。
【００７２】
物品１Ｄは、第２繊維不織布２６の外側に第３繊維不織布３０が固着されているので、汗を吸収して湿潤した第２繊維不織布２６の手や腕への接触面積を少なくすることができ、湿潤した第２繊維不織布２６が手や腕に接することによる不快感を低減することができる。
【００７３】
それらフラップ６，７の単位面積当たりにおける開孔部２９の割合と第１繊維不織布２６の坪量および繊度とは、図６のそれらと同一である。開孔部２９の割合や不織布２６の坪量、繊度を規定する理由は、図６のそれらと同一である。複合シート３１から形成されたそれらフラップ６，７の湿潤時におけるｑｍａｘの値は、０．２５以下であり、それらフラップ６，７の乾燥時におけるｑｍａｘの値は、０．１５以下である。ｑｍａｘの測定方法は、図１の物品１Ｄのそれと同一である。
【００７４】
物品１Ｄは、フラップ６，７の単位面積当たりにおける開孔部３２の割合が２〜４０％の範囲、好ましくは、５〜２０％の範囲にある。開孔部３２の割合が２％未満では、汗が乾燥するときに生じる水蒸気を開孔部３２から物品１Ｄの外側に逃がすことができず、汗を吸収した第２繊維不織布２７が乾燥し難くなる。開孔部３２の割合が４０％を超過すると、第２繊維不織布２６の開孔部３２からの露出面積が増加し、汗を吸収して湿潤した第２繊維不織布２６が手や腕に接触して不快感がある。物品１Ｄは、フラップ６，７の湿潤時におけるｑｍａｘの値が０．２５以下なので、汗を吸収して湿潤したフラップ６，７が肌に接したとしても、着用者に冷たい感触を与えることはない。
【００７５】
表面シート８には、親水性繊維不織布、多数の開孔を有する疎水性繊維不織布、微細な多数の開孔を有するプラスチックフィルムのいずれかを使用することができる。裏面シート９には、疎水性繊維不織布、通気不透液性プラスチックフィルム、疎水性繊維不織布どうしをラミネートした複合シート、疎水性繊維不織布と通気不透液性プラスチックフィルムとをラミネートした複合シートのいずれかを使用することができる。
【００７６】
親水性繊維不織布は、親水化処理が施された合成繊維、半合成繊維、再生繊維のうちのいずれか、または、それら繊維を混合した複合繊維から作ることができる。合成繊維には、特に限定はないが、ポリエステル系、ポリアクリロニトリル系、ポリ塩化ビニル系、ポリエチレン系、ポリプロピレン系、ポリスチレン系を使用することができる。合成繊維には、芯鞘型複合繊維、並列型複合繊維、異型中空繊維、微多孔繊維、接合型複合繊維を使用することもできる。親水性繊維不織布が熱融着性の場合は、不織布を形成する繊維に合成繊維を含む必要がある。
【００７７】
熱融着性かつ疎水性繊維不織布や疎水性繊維不織布は、合成繊維から作ることができる。熱融着性かつ疎水性繊維不織布や疎水性繊維不織布には、撥水処理が施された半合成繊維や再生繊維が含まれていてもよい。
【００７８】
不織布には、スパンレース、ニードルパンチ、メルトブローン、サーマルボンド、スパンポンド、ケミカルボンドの各製法により製造されたものを使用することができる。
【００７９】
熱融着性かつ親水性繊維不織布や親水性繊維不織布、熱融着性かつ疎水性繊維不織布、疎水性繊維不織布は、弾性的な伸縮性を有していてもよい。伸縮性繊維不織布としては、メルトブローンやスパンボンドの各製法により製造されたものを使用することができる。伸縮性不織布の構成繊維には、熱可塑性エラストマー樹脂を溶融、紡糸した伸縮性繊維を使用することができる。
【００８０】
コア１０は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア１０は、その型崩れやポリマー粒子の脱落を防止するため、全体がティッシュペーパーや親水性繊維不織布等の透液性シートに包被されていることが好ましい。ポリマー粒子としては、デンプン系、セルロース系、合成ポリマー系のものを使用することができる。
【００８１】
表裏面シート８，９どうしの固着、表裏面シート８，９と複合シート１４，２４，２８，３１との固着、表裏面シート８，９に対するコア１０の固着、表裏面シート８，９や防漏シート１８、複合シート２８，３１に対する弾性部材１１，１９の固着、表面シート８や複合シート１４，２４，２８，３１に対する防漏シート１８の固着には、接着剤、または、熱プレス接合や超音波接合の技術を利用することができる。
【００８２】
接着剤には、ホットメルト型接着剤を使用することが好ましい。なお、接着剤には、ホットメルト型接着剤の他に、アクリル系接着剤やゴム系接着剤のいずれかを使用することもできる。接着剤は、表裏面シート８，９や複合シート１４，２４，２８，３１、防漏シート１８にスパイラル状やジグザグ状、ドット状、縞状のうちのいずれかの態様で塗布されていることが好ましい。接着剤をそれらの態様で表裏面シート８，９や複合シート１４，２４，２８，３１、防漏シート１８に塗布すると、シート８，９，１４，２４，２８，３１，１８どうしが断続的に固着される。
【００８３】
この発明は、着用時に前後胴周り域を連結するオープン型の着用物品１Ａ，１Ｂ，１Ｃ，１Ｄの他に、あらかじめ前後胴周り域が連結されたパンツ型の着用物品にも実施することができる。
【００８４】
【発明の効果】
本発明にかかる使い捨て着用物品によれば、エンドフラップとサイドフラップとのうちの少なくとも一方が熱融着性かつ疎水性の第１繊維不織布と熱融着性かつ親水性の第２繊維不織布とを重ね合わせた複合シートから形成され、第１および第２繊維不織布が多数の熱融着部を介して固着されており、熱融着部における複合シートの繊維密度が熱融着部を除く残余の部位のそれよりも高いので、熱融着部において毛細管現象が強く作用する。ゆえに、この物品では、それを着用したときに、着用者の汗が毛細管現象によって第１繊維不織布から親水性の第２繊維不織布に円滑に移行し、第２繊維不織布に汗を速やかに吸収させることができる。この物品は、それを着用したときに、肌非当接側に位置する第２繊維不織布が物品の外側に露出するので、フラップが汗を吸収したとしても、汗が蒸発するときに生じる水蒸気を第２繊維不織布から物品の外側に逃がすことができる。この物品は、汗を吸収した第２繊維不織布が乾燥し易く、汗がフラップから容易に蒸発するので、フラップが肌にべとつくことはなく、着用した物品に対する不快感がない。
【００８５】
エンドフラップとサイドフラップとのうちの少なくとも一方が多数の第１開孔部を有する疎水性の第１繊維不織布と親水性の第２繊維不織布とを固着した複合シートから形成された着用物品では、第１開孔部から第２繊維不織布が肌当接側に露出するので、着用者の汗が第１開孔部から親水性の第２繊維不織布に速やかに吸収される。この物品は、それを着用したときに、肌非当接側に位置する第２繊維不織布が物品の外側に露出するので、フラップが汗を吸収したとしても、汗が蒸発するときに生じる水蒸気を第２繊維不織布から物品の外側に逃がすことができる。この物品は、汗を吸収した第２繊維不織布が乾燥し易く、汗がフラップから容易に蒸発するので、フラップが肌にべとつくことはなく、着用した物品に対する不快感がない。
【００８６】
第２繊維不織布の外側に多数の第２開孔部を有する疎水性の第３繊維不織布が固着された着用物品では、第２開孔部から第２繊維不織布が肌非当接側に露出するので、フラップが汗を吸収したとしても、汗が蒸発するときに生じる水蒸気を第２繊維不織布から物品の外側に逃がすことができる。この物品は、汗を吸収して湿潤した第２繊維不織布の手や腕への接触面積を少なくすることができ、湿潤した第２繊維不織布が手や腕に接することによる不快感を低減することができる。
【図面の簡単な説明】
【図１】一例として示す着用物品の部分破断斜視図。
【図２】図１のＩＩ−ＩＩ線端面図。
【図３】図１のＩＩＩ−ＩＩＩ線端面図。
【図４】他の一例として示す着用物品の部分破断斜視図。
【図５】図４のＶ−Ｖ線端面図。
【図６】他の一例として示す着用物品の部分破断斜視図。
【図７】図６のＶＩＩ−ＶＩＩ線端面図。
【図８】図６のＶＩＩＩ−ＶＩＩＩ線端面図。
【図９】他の一例として示す着用物品の部分破断斜視図。
【図１０】図９のＸ−Ｘ線端面図。
【図１１】図９のＸＩ−ＸＩ線端面図。
【符号の説明】
１Ａ          使い捨て着用物品
１Ｂ          使い捨て着用物品
１Ｃ          使い捨て着用物品
１Ｄ          使い捨て着用物品
２            前胴周り域
３            股下域
４            後胴周り域
５            液吸収ゾーン
６            エンドフラップ
７            サイドフラップ
８            透液性表面シート
９            不透液性裏面シート
１０            吸液性コア
１２            第１繊維不織布
１３            第２繊維不織布
１４            複合シート
１６            熱融着部
１７            残余の部位
２３            第３繊維不織布
２４            複合シート
２５            開孔部（第２開孔部）
２６            第１繊維不織布
２７            第２繊維不織布
２８            複合シート
２９            開孔部（第１開孔部）
３０            第３繊維不織布
３１            複合シート
３２            開孔部（第２開孔部）
【図１】
2004298467.tif 000003
【図２】
2004298467.tif 000004
【図３】
2004298467.tif 000005
【図４】
2004298467.tif 000006
【図５】
2004298467.tif 000007
【図６】
2004298467.tif 000008
【図７】
2004298467.tif 000009
【図８】
2004298467.tif 000010
【図９】
2004298467.tif 000011
【図１０】
2004298467.tif 000012
【図１１】
2004298467.tif 000013